(57)【特許請求の範囲】
【請求項１】
メインフレームの両側にそれぞれ備えられてモーターの駆動によって回転するカムプレート；
板面の一側に形成した長孔に挿入されたカムプレートの偏心突起によって両側方に一定長さを直線でスライド往復移動する移動プレート；
同じ方向に移動する両側の移動プレートに各両端が固定されるようにして一定長さを直線往復しながらラグを切断する切断鋸；
モーターの下部を固定支持しながら移動プレートが側方にスライディング往復移動することができるように第一のレールを備えて、メインフレームで前後方長さ方向には両側にそれぞれロッドレスエアーシリンダを備えて、ロッドレスエアーシリンダの外周面に沿って長さ方向に移動可能に備えられるリング形状のスライドブロック下段部に上部が連結される連結ブラケットを一体で連結されるようにする固定プレート；
固定プレートの底面で側方に一定距離離隔して設置されて、移動プレートに形成したスイッチング突起によって選択的に接続が行われる一対のリミットスイッチ；
リミットスイッチの選択的なスイッチング作動によってロッドレスエアーシリンダへのエアー供給を断続制御されるようにするソレノイドバルブ；
の結合からなることを特徴とするラグ切断装置。
【請求項２】
前記移動プレートと固定プレートには相互向かい合う面で第一のガイドと第一のレールがそれぞれ結合されるようにして第一のガイドと第一のレールの連結によって移動プレートを側方に直線往復移動することができるようにすることを特徴とする請求項１に記載のラグ切断装置。
【請求項３】
前記メインフレームには固定プレートと連結ブラケットに向かい合う板面でメインフレームの長さ方向にスライド移動が可能にする第二のレールと第三のレールを備えて、それと対応する固定プレートと連結ブラケットには第二のレールと第三のレールに沿って移動可能に連結される第二のガイドブロックと第三のガイドブロックを備えることを特徴とする請求項１に記載のラグ切断装置。
【請求項４】
前記ロッドレスエアーシリンダはマグネットロッドレスエアーシリンダとして適用することを特徴とする請求項１に記載のラグ切断装置。
【請求項５】
前記一対のリミットスイッチは一側の移動プレートで切断鋸の移動距離だけ同一直線上に離隔して備えられるようにすることを特徴とする請求項１に記載のラグ切断装置。
【請求項６】
前記一対のリミットスイッチは、一側のリミットスイッチがスイッチングオンされると、他側のリミットスイッチがスイッチングオンされる時まではスイッチング状態が維持されるようにするリレースイッチからなることを特徴とする請求項１または５に記載のラグ切断装置。
【請求項７】
前記一対のリミットスイッチは、鋸挽き方向の信号用と非鋸挽き方向の信号用とからなることを特徴とする請求項１に記載のラグ切断装置。
【請求項８】
前記メインフレームには移動のための輪と共に切断作業時単位ブロック底での安定した作業のために備える着地具の下段部には電磁石クランプがそれぞれ備えられるようにすることを特徴とする請求項１に記載のラグ切断装置。
【請求項９】
前記リミットスイッチは、移動プレートの移動距離と同じ距離の移動プレートに固定されて固定プレートに固定したスイッチング突起によって選択的にスイッチングされることを特徴とする請求項１に記載のラグ切断装置。
【請求項１０】
前記ロッドレスエアーシリンダには端部に最大限前進した状態のスライドブロックによってスイッチングされてロッドレスエアーシリンダの駆動を中止させるようにする復帰用リミットスイッチが備えられることを特徴とする請求項１に記載のラグ切断装置。
【発明の詳細な説明】
【技術分野】
【０００１】
本発明は、ラグ切断装置に関し、より詳細にはラグを切断する切断用鋸をモーター駆動によって作動するようにしながら、激しい振動が低減されるようにすると同時に切断用鋸を切断する方向に移動する瞬間にだけロッドレスエアーシリンダにエアーが供給されながら切断用鋸が一定ステップずつ移動することができることによって切断用鋸の摩耗と破損が防止されるようにして使用寿命がより延びるようにするラグ切断装置に関する。
【背景技術】
【０００２】
一般に船舶の建造は、いくつかの単位ブロック（ｂｌｏｃｋ）で製作され、これらの単位ブロックをクレーンによって移動させて相互密着させた後、密着面間溶接によって連結されることによって行われる。
【０００３】
近年船舶建造工法が飛躍的に発展すると共に、単位ブロックも次第に大型化されている傾向にあり、単位ブロック間の溶接が実行された後、塗装が行われることもあるが単位ブロック別に先に塗装が行われた後、溶接が行われるようにしたりもする。
【０００４】
この時、大型のブロックを移動させるために、クレーンを使用するがクレーンのフック（ｈｏｏｋ）と連結されるようにするためには別途の連結構造が必要である。
【０００５】
従って、これらの大型ブロックにはフックが連結されるようにする締結孔を形成したラグ（ｌｕｇ）が設置されるようにしている。
【０００６】
ラグは通常一つのブロックにも複数が設置されるようにして移動時に均衡を維持するようにされ、このようなラグは溶接によって設置される。
【０００７】
一方、ブロックに設置したラグはブロック間の連結が行われてから除去すべきであり、このようなラグを除去するために使用されるものがラグ切断装置である。
【０００８】
ラグ切断装置は、従来グラインダーや溶接によって切断が行われたが、切断面が不均一なだけでなく切断後に切断面の研磨が必ず必要となるため、ブロックの溶接部位に損傷や変形が発生する問題がある。
【０００９】
韓国登録特許第１３９０５０１号（２０１４．０４．２３．名称：ラグ切断装置）は、本出願人の先登録特許であって、従来技術におけるラグ切断装置は、メインフレームの両側にはエアーシリンダの駆動によって側方に一定長さを往復移動するように切断刃が備えられるようにして、切断刃と共に切断刃の駆動手段は、ロッドレスエアーシリンダに連結されて一定圧力で供給されるロッドレスエアーシリンダによってラグの下段部を切断刃によって切断されるようにした。
【００１０】
従って、従来技術では切断刃が両側に往復移動しながらラグの下段部に最大限近接してラグを切断するようにする。
【先行技術文献】
【特許文献】
【００１１】
【特許文献１】韓国登録特許第１３９０５０１号公報
【発明の概要】
【発明が解決しようとする課題】
【００１２】
しかし、切断刃を往復移動させるエアーシリンダは、駆動時に非常に激しい騒音と振動が切断刃に伝達されて切断刃に損傷をあたえることが頻繁にあり、特に片刃構造からなる切断刃の非切断方向に移動時にもロッドレスエアーシリンダによっては常に一定圧力のエアーが供給されながら切断刃の摩耗を促進させるだけでなく、持続的に加えられる圧力によって切断刃が破損して使用寿命を短縮させる原因となっている。
【００１３】
本発明は、前記の弊害と問題点を解決するためのものであって、本発明は切断鋸をモーター駆動とカムの回転運動によって直線往復運動する移動プレートに連結されるようにして騒音と振動を大幅に低減させて安定した切断作業が行われるようにするラグ切断装置を提供することに主な目的がある。
【００１４】
また、本発明は、切断鋸が一定距離を往復しながら、ラグを切断する時にだけ一定圧力のエアー供給が行われて、非切断方向に移動する時にはラグとの摩擦が中断されることによって切断鋸の使用寿命がより延びるようにするラグ切断装置を提供するのに他の目的がある。
【課題を解決するための手段】
【００１５】
前記の目的達成のための本発明のラグ切断装置は、メインフレーム両側にそれぞれ備えられるモーターの駆動によって回転するカムプレート；板面の一側に形成した長孔に挿入されたカムプレートの偏心突起によって側方に一定長さを直線でスライド往復移動する移動プレート；両側の移動プレートに各両端が固定されるようにして直線往復しながらラグを切断する切断鋸；モーターの下部を固定支持しながら移動プレートが側方にスライディング往復移動することができるように第一のレールを備えて、メインフレームで前後方長さ方向には両側にそれぞれロッドレスエアーシリンダを備えて、ロッドレスエアーシリンダの外周面に沿って長さ方向に移動可能に備えられるリング形状のスライドブロック下段部に上部が連結される連結ブラケットを一体で連結されるようにする固定プレート；固定プレートの底面に一定距離を離隔して設置されて、移動プレートに形成したスイッチング突起によって選択的に接続が行われる一対のリミットスイッチ；リミットスイッチの選択的なスイッチング作動によってロッドレスエアーシリンダへのエアー供給を断続制御するソレノイドバルブの結合からなる構成を特徴とする。
【発明の効果】
【００１６】
前記の構成に係るラグ切断装置によって、切断鋸が備えられる駆動部の振動が大幅に減殺されるようにして安定した作動性が維持される。
【００１７】
また、本発明は、切断鋸の切断方向への移動時にだけロッドレスエアーシリンダに一定圧力でエアーが供給されて、非切断方向への移動時にはエアーの供給が中断されることによって非切断時の切断鋸摩耗が防止される。
【００１８】
特に本発明はロッドレスエアーシリンダによる移動時に、切断鋸によってラグを切断する瞬間にだけ移動して、その他の瞬間には切断鋸の前進移動が中断されることによって切断鋸に加えられる負荷を減らして切断鋸がより安全に管理されるようにすると同時に使用寿命が大幅に延びるようにする。
【図面の簡単な説明】
【００１９】
【図１】本発明に係るラグ切断装置を例示した底面斜視図である。
【図２】本発明に係るラグ切断装置の要部拡大正面図である。
【図３】本発明に係るラグ切断装置の要部構造に対する分離斜視図である。
【図４】本発明に係るラグ切断装置でロッドレスエアーシリンダの駆動構造を例示した概略図である。
【図５】本発明に係るラグ切断装置でリミットスイッチの装着構造を例示した側面要部図である。
【図６】本発明に係るラグ切断装置を単位ブロックに固定させるための電磁石クランプを備えた要部構造を例示した拡大図である。
【図７】本発明に係るラグ切断装置にラグを固定させた状態を例示した平面図である。
【図８】本発明に係るラグ切断装置の移動プレートが移動する状態の平面図である。
【図９】本発明に係るラグ切断装置で移動プレートの移動によるリミットスイッチの作動図である。
【図１０】本発明に係るラグ切断装置のロッドレスエアーシリンダ駆動を中止させる復帰用リミットスイッチの装着状態を例示した要部拡大平面図である。
【発明を実施するための形態】
【００２０】
以下、本発明に係るラグ切断装置の好ましい実施例を添付図面を参照してより詳細に説明すると下記の通りである。
【００２１】
図１は本発明に係るラグ切断装置を例示した底面斜視図で、図２は本発明に係るラグ切断装置の要部拡大正面図である。
【００２２】
図示したように、本発明は、メインフレーム１０に切断鋸５０を駆動させる駆動部と共に、この駆動部を前後方長さ方向に前後進させる移動部とラグを固定させる固定部の結合からなる。
【００２３】
このような駆動部と移動部及び固定部は、本出願人の先登録発明である従来技術と略同じである。
【００２４】
但し、本発明で切断鋸５０を駆動させる駆動部とこの駆動部をメインフレーム１０の長さ方向に移動させる移動部とこの移動部の制御構造を改善させるようにすることに最も著しい特徴がある。
【００２５】
本発明のメインフレーム１０は、図面のように両側に一定高さで備えられると共に、両側のフレーム間は、安全カバー１１によって連結されて、このメインフレーム１０は、作業者によって移動可能とされるように備える。
【００２６】
このようなメインフレーム１０には切断のための駆動部が備えられるが、駆動部は、モーター２０とカムプレート３０と移動プレート４０と切断鋸５０及び固定プレート６０からなる。
【００２７】
但し駆動部は、メインフレーム１０の両側フレーム後方でそれぞれ相互対称とされるように備えられる。
【００２８】
図３は本発明に係るラグ切断装置の要部構造に対する分離斜視図である。
【００２９】
図示したようにメインフレーム１０の両側で備えられる駆動部にはそれぞれモーター２０が備えられ、これらのモーター２０にはそれぞれカムプレート３０が軸固定される。
【００３０】
モーター２０には、下部で駆動軸２１が軸固定されて、この駆動軸２１の下段部にはカムプレート３０の中央が軸固定される。
【００３１】
そして、カムプレート３０は平板の形状からなると共に、駆動軸２１の軸固定される中央から一側の偏心位置には下部面に一定高さで下方突出するように偏心突起３１が形成されるようにする。
【００３２】
このようなカムプレート３０の下部には移動プレート４０が備えられるようにするが、移動プレート４０は、平板の板面で一側端部に一定長さで形成した長孔４１にカムプレート３０の偏心突起３１が挿入されるようにして、移動プレート４０の他方端部には底面で切断鋸５０の一端が固定されるようにする。
【００３３】
本発明の切断鋸５０は、片刃鋸を使用してもよく両刃鋸を使用してもよいが、これらの切断鋸５０は、鋸の刃が一方向にだけ刃を研いだ形状である。
【００３４】
すなわち、本発明の切断鋸５０は、一方向にだけ切断刃を研いで、反対方向には刃がないので、結局一方向にだけ切断機能を行うことになり、この時の切断鋸５０は、一端部にだけ鋸の刃を形成する片刃鋸からなってもよいが、方向だけ変えて使用可能に両端部で鋸の刃を形成する両刃鋸からなってもよい。
【００３５】
従って、切断鋸５０は、両端部が両側の移動プレート４０にそれぞれ交替可能に固定されるようにする。
【００３６】
そして、移動プレート４０には、その上部の固定プレート６０とは側方に一定距離をスライド往復して移動することができるようにするための構成によって連結されるようにする。
【００３７】
すなわち、図面のように移動プレート４０には、第一のガイド４２を備えて、固定プレート６０には、第一のガイド４２がスライディング移動することができるように第一のレール６１が互いに向かい合う面で備えられるようにすることができ、但し、移動プレート４０と固定プレート６０に形成される第一のガイド４２と第一のレール６１は、互いに反対に備えられるようにしてもよい。
【００３８】
特に移動プレート４０と固定プレート６０に備える第一のガイド４２と第一のレール６１は、一つよりは複数が並んで平行に形成されることがより好ましい。
【００３９】
この時の固定プレート６０は、モーター２０の下段部が固定されるようにすると共に、モーター２０の駆動軸２１が貫くようにして移動プレート４０との間でモーター駆動軸２１にはカムプレート３０が軸固定されるようにする。
【００４０】
このような固定部は、移動部によってメインフレーム１０の前後方に前後進移動が可能となるように備えられる。
【００４１】
図４は、本発明に係るラグ切断装置でロッドレスエアーシリンダの駆動構造を例示した概略図である。
【００４２】
本発明の移動部には、ロッドレスエアーシリンダ７０とリミットスイッチ８０及びソレノイドバルブ９０が備えられる。
【００４３】
ロッドレスエアーシリンダ７０は、両側のメインフレーム１０にそれぞれ固定されてソレノイドバルブ９０を介して供給されるエアーの供給圧によって外周面のスライドブロック７１がメインフレーム１０の長さ方向に移動できるように備えられる構成であって、このように外周面に備えられるスライドブロック７１の下段部は、固定プレート６０の上部面に付着した連結ブラケット６２の上段部と固定連結される。
【００４４】
特に、ロッドレスエアーシリンダ７０を固定するメインフレーム１０には、固定プレート６０と連結ブラケット６１に向かい合う板面で図２のようにメインフレーム１０の長さ方向にスライド移動を可能にする第二のレール１２と第三のレール１２及び第二のガイドブロック６３と第三のガイドブロック６４が備えられるようにする。
【００４５】
一方、ロッドレスエアーシリンダ７０は、マグネットロッドレスエアーシリンダを適用することがより好ましいが、これに限定されず、このようなロッドレスエアーシリンダ７０の駆動は、図５のように固定プレート６０に形成した二つのリミットスイッチ８０によって制御されるようにする。
【００４６】
本発明のリミットスイッチ８０は、一側の固定プレート６０に一定距離を離隔して同一直線上に二つが備えられるようにするリレースイッチからなる。
【００４７】
すなわち、一側のリミットスイッチ８０が、スイッチングオンされると、他方のリミットスイッチ８０がスイッチングオンされる時まではスイッチング状態が維持されるようにするものである。
【００４８】
この時、一つのリミットスイッチ８０は、鋸挽き方向の信号のためのもので、他の一つのリミットスイッチ８０は、非鋸挽き方向の信号のためのものである。
【００４９】
これらのリミットスイッチ８０のスイッチング作動のために、固定プレート６０にはスイッチング突起６５がリミットスイッチ８０と同一直線上に付設するようにして、移動プレート４０のスライド移動によってスイッチング突起６５がリミットスイッチ８０を選択的にスイッチングオンされるようにするものである。
【００５０】
これらのリミットスイッチ８０は、ロッドレスエアーシリンダ７０へのエアー供給を断続するソレノイドバルブ９０の作動を制御する。
【００５１】
すなわち、リミットスイッチ８０の選択的なスイッチング作動によってソレノイドバルブ９０は、ロッドレスエアーシリンダ７０へのエアー供給が断続されるようにすることによって切断鋸５０により鋸挽きが行われる方向では一定圧力のエアーが供給されて、鋸挽きが行われない方向ではエアー供給が行われないようにする。
【００５２】
一方、本発明のメインフレーム１０には、通常、輪１４を装着して移動可能に備えられるようにしているが、ラグを切断するためには、着地具１５によりブロックの底に固定させるようにしているため、ブロック底での着地力を補強するために、図６のように着地具１５の下段部には電磁石クランプ１６が固定されるようにすることがより好ましい。
【００５３】
前記の本発明のラグ切断装置によるラグ切断作用についてより詳細に説明すると下記の通りである。
【００５４】
図７は本発明に係るラグ切断装置にラグを固定させた状態を例示した平面図である。
【００５５】
図示したように本発明のラグ切断装置は、駆動部がまずメインフレーム１０の後段部側で備えられるようにして、メインフレーム１０の前後方長さ方向の中間位置にはラグ１００が位置されるようにする。
【００５６】
このような状態でラグ１００の一端部に切断鋸５０が近接するようにロッドレスエアーシリンダ７０を駆動させたり、最初切断鋸５０に近接してラグ１００が位置されるようにする。
【００５７】
ラグ１００は、本発明に係るラグ切断装置のメインフレーム１０両側に備えられるラグクランピング手段１７によって堅固に固定されて、ラグ１００の切断は、両側のモーター２０を同時に駆動させることによって実行される。
【００５８】
但し、両側の固定プレート６０の下部にそれぞれ備えられる移動プレート４０は同一方向に同時に移動するように備えられている。
【００５９】
換言すると、一側の移動プレート４０が固定プレート６０の外側に位置されていると、他側の移動プレート４０は、固定プレート６０の内側に位置されるようになる。
【００６０】
モーター２０の駆動によって図８のように駆動軸２１に軸固定されているカムプレート３０が回転すると、カムプレート３０で偏心の位置に形成された偏心突起３０が駆動軸２１が結合された位置を中心に一定半径を回転するようになる。
【００６１】
この時の偏心突起３０は、移動プレート４０の外側端部に形成された長孔４１に挿入されており、長孔４１の長さ方向に移動しながら移動プレート４０を偏心突起３０の回転直径の長さだけ直線移動させることになる。
【００６２】
両側の移動プレート４０に両端部が固定された切断鋸５０は、鋸の刃が一方向には切断されるが反対方向には切断が行われないようにしているため、一方向には切断が行われるが反対方向には切断されないようにしている。
【００６３】
従って、モーター２０の駆動によって両側の移動プレート４０を切断鋸５０の切断方向に移動させる時点では、図９のように一側の固定プレート６０に形成した切断用リミットスイッチ８０を固定プレート６０に形成したスイッチング突起６５によってスイッチングオンさせると、切断用リミットスイッチ８０のスイッチング信号がソレノイドバルブ９０に伝達されながらソレノイドバルブ９０によってロッドレスエアーシリンダ７０の駆動部の側端部に一定圧力のエアーが供給されるようにして、それと対応する端部からはエアーが排出されるようにする。
【００６４】
換言すると、切断鋸５０が切断方向に移動する瞬間には図４のようにロッドレスエアーシリンダ７０では駆動部が備えられる一側端部に一定圧力のエアーが供給されて、それと対応する他端を介してはエアーが排出されるようにする。
【００６５】
ロッドレスエアーシリンダ７０の一側に一定圧力のエアーが供給されると、供給されるエアーの供給圧によって外周面に形成したスライドブロック７１が、切断鋸５０をラグ１００側に前進移動させることになる。
【００６６】
このように切断鋸５０が切断方向に移動しながらラグ１００側に前進すると、切断鋸５０によってラグ１００は一定の深さに切断が行われる。
【００６７】
逆にモーター２０の継続する回転によって、切断鋸５０が切断方向に移動して固定プレート６０のスイッチング突起６５が非切断方向側リミットスイッチ８０をスイッチングオンさせる瞬間、スイッチングオンされるリミットスイッチ８０の信号によってソレノイドバルブ９０は、ロッドレスエアーシリンダ７０へのエアー供給と排出が中断されるようにする。
【００６８】
この状態で切断鋸５０は、非切断方向に移動しながら、すでに切断されたラグ１００に沿って切断鋸５０が移動することになるため、鋸の刃の摩耗及び損傷が防止されることができる。
【００６９】
このような方式でモーター２０の駆動によって、移動プレート４０を側方に往復移動させながら二つのリミットスイッチ８０を選択的にスイッチングオンさせて、ロッドレスエアーシリンダ７０に供給されるエアーが一定周期で断続されるようにすると、ラグ１００を切断する時にだけ切断鋸５０がラグ１００側に前進するようになり、前進移動が止まった状態で反対方向に切断鋸５０が移動しながらすでに切断された部位に沿って移動するようになる。
【００７０】
このように切断鋸５０を前進させると同時に切断鋸５０を切断方向に移動させて、ロッドレスエアーシリンダ７０の駆動を停止させた状態で、切断鋸５０を非切断方向に移動させる作動を連続して行いながらラグ１００を切断することになる。
【００７１】
従って、切断鋸５０によりラグ１００を連続して切断すると、ラグ１００を切断する過程における切断鋸５０にはいかなる切断過負荷も影響を及ぼさないようになる。
【００７２】
ラグ１００を完全に切断して、スライドブロック７１がロッドレスエアーシリンダ７０の端部に到達すると、図１０のようにロッドレスエアーシリンダ７０の端部に装着された復帰用リミットスイッチ１８に接触する瞬間、モーター２０とロッドレスエアーシリンダ７０の駆動は中止される状態となる。
【００７３】
このようにラグ１００を切断する過程でラグ１００のリブ１０１を切断する時にもラグ１００を切断する方向にだけ切断鋸５０に一定圧力が加えられて、非切断方向には圧力がそれ以上加えられない状態で、すでに切断された部位を通過して移動することによって切断鋸５０の鋸の刃損傷が防止されるようにする。
【００７４】
一方、メインフレーム１０を単位ブロックに電磁石クランプ１７としてより堅固に固定させると、切断鋸５０によるラグ１００の切断時より安定して正確な切断作業が行われる。
【００７５】
何よりも本発明は、切断鋸５０により鋸挽きがモーター２０の回転駆動力によって移動プレート４０が水平移動しながら切断が行われるようにすることによって、切断鋸５０による切断作業時に切断鋸５０の振動や切断鋸５０の駆動のための騒音が大幅に低減されることによって、切断鋸５０の安全な鋸挽きとそれによる耐久力向上及びより静かに作業環境が改善されるようにする効果がある。
【図１】
0006361078.tif 000002
【図２】
0006361078.tif 000003
【図３】
0006361078.tif 000004
【図４】
0006361078.tif 000005
【図５】
0006361078.tif 000006
【図６】
0006361078.tif 000007
【図７】
0006361078.tif 000008
【図８】
0006361078.tif 000009
【図９】
0006361078.tif 000010
【図１０】
0006361078.tif 000011